(57)【要約】 【課題】  流量計の積算表示値と監視機器の積算表示値との所定の対応関係が逸脱させるような異常の発生を検出可能な、流量発信器機能を備えた流量計を提供する。【解決手段】  流量計１Ａに設けた監視回路１８Ａによって、演算回路１３からの積算流量データと出力回路１５における積算パルス出力とに基づき、この積算流量データによる流量値が積算流量パルス出力単位だけ歩進（カウントアップ）するのに同期して、この間に出力回路１５から生成出力されるべき積算流量パルスが対応して発信されているか否かを比較判定する。監視回路１８Ａは、この比較判定の結果、積算流量データによる流量値の積算流量パルス出力単位のカウントアップに同期して積算流量パルスが出力回路１５から発信せず、信号線９０上に出現していない場合等は、異常とみなしてアラーム信号を有線又は無線の通信路を介して外部出力する。【選択図】  図１
2006132974.tif 000002
【特許請求の範囲】
【請求項１】
被測流体の流れを検出する流量センサと、
該流量センサの検知出力に基づき、被測流体の積算流量を表示する表示部と、
前記流量センサの検知出力に基づき、被測流体の単位流量に対応した流量パルス信号を外部機器に向けて外部出力する外部信号出力手段と
を備えた流量計であって、
前記表示部に表示される積算流量と、該外部信号出力手段から外部出力された流量パルス信号の外部機器への供給状態とが所定の対応関係を保持しているか否かを監視する監視手段と、
該監視手段によって両者の関係が所定の対応関係を逸脱していることが検出された場合には警報信号を外部出力する警報信号出力手段と
を備えていることを特徴とする流量計。
【請求項２】
前記監視手段は、前記表示部に供給される計測出力と、前記外部信号出力手段から外部出力された流量パルス信号の外部機器への供給状態とが、所定の対応関係を保持しているか否かで監視する
ことを特徴とする請求項１記載の流量計。
【請求項３】
前記監視手段は、前記表示部によって表示される被測流体の積算流量値と、該外部信号出力手段から外部出力された流量パルス信号が供給された外部機器で演算された被測流体の積算流量値とが、所定の対応関係を保持しているか否かで監視する
ことを特徴とする請求項１記載の流量計。
【請求項４】
前記警報信号出力手段は、前記外部信号出力手段から外部出力される流量信号を出力停止させることにより、警報信号を外部出力する
ことを特徴とする請求項１〜３いずれかに記載の流量計。
【発明の詳細な説明】
【技術分野】
【０００１】
本発明は、被測流体の流量を計測する流量計に係り、被測流体の単位流量毎の流れに対応した流量パルス信号を外部出力することが可能な流量発信器機能を備えた流量計に関する。
【背景技術】
【０００２】
従来、流路途中に配設され、流路を移送される気体又は液体といった被測流体の流量を計測して、被測流体の積算流量を表示部に表示する現場型の流量計が知られている。
【０００３】
また、この現場型の流量計の中には、例えば特公平６−７０５７４号公報に記載されているような、被測流体の単位流量毎の流れに対応した流量パルス信号（外部出力パルス）を外部出力する流量発信器機能を備えた流量計がある。
【０００４】
ところで、この流量発信器機能を備えた流量計は、流量計や当該流量計が設置された流路部分とは離間した計器室等に設置された監視機器に、有線通信路又は無線通信路を介して流量パルス信号を供給できるようになっており、流量制御システムの構成機器として使用される。この種の流量制御システムでは、監視機器は、流量発信器機能付き流量計から供給される流量パルス信号を受信して積算流量を演算し、その積算流量値をモニタ表示器に表示したり、その積算流量値に基づいて流量計とともに流路に配設されたポンプや流量調整弁等といった流量制御機器をマニュアル又は自動で遠隔制御し、流路を流れる被測流体の流量を調整できるようになっている。
【特許文献１】特公平６−７０５７４号公報
【発明の開示】
【発明が解決しようとする課題】
【０００５】
ところで、上述した流量発信器機能を備えた流量計を用いた流量制御システムにおいては、次に述べるような問題点があった。
【０００６】
流量計からの流量パルス信号を監視機器に伝達するための有線通信路又は無線通信路に外部からノイズ等が作用すると、監視機器に入力される流量計からの流量パルス信号にパルス欠落や雑音パルスが生じ、流量計の表示部における積算表示値（実流量）と監視機器のモニタ表示器における積算表示値とが一致又は対応しなくなってしまい、被測流体の遠隔流量調整が正確に行えなくなる。そして、このような問題を防止するためには、流量計の現場積算表示値と計器室の監視機器における積算表示値とを比較して両者が一致又は対応しているか否かを、適宜確認しなければならない。
【０００７】
しかし、両者の積算表示値を比較するにあたっては、ユーザは、一旦流路による流体の移送を停止して、流量計の現場積算表示値を計器室とは離れた流量計設置場所に見に行かなければならなかった。また、その比較の際も、多少の僅差であれば、気づかずに流量制御システムを使用し続けてしまうことも考えられる。
【０００８】
本発明は、上述した問題点を鑑みなされたものであって、流量発信器機能を備えた流量計に係り、その現場積算表示と流量パルス信号の外部機器への供給状態とが所定の対応関係を保持しているか否かを比較監視することによって、両者の関係が所定の対応関係を逸脱したことが検出された場合には、監視機器側に警報信号を発信するようにして、現場と離れた場所にいるユーザに注意を喚起できるようにした流量計を提供することを目的とする。
【課題を解決するための手段】
【０００９】
上記課題を解決するために、本発明による流量計は、被測流体の流れを検出する流量センサと、流量センサの検知出力に基づき、被測流体の積算流量を表示する表示部と、流量センサの検知出力に基づき、被測流体の単位流量に対応した流量パルス信号を外部機器に向けて外部出力する外部信号出力手段とを備えた流量計であって、表示部に表示される積算流量と、外部信号出力手段から外部出力された流量パルス信号の外部機器への供給状態とが所定の対応関係を保持しているか否かを監視する監視手段と、監視手段によって両者の関係が所定の対応関係を逸脱していることが検出された場合には警報信号を外部出力する警報信号出力手段とを備えていることを特徴とする。
【００１０】
また、本発明による流量計においては、表示部に供給される計測出力と、外部信号出力手段から外部出力された流量パルス信号の外部機器への供給状態とが、所定の対応関係を保持しているか否かで監視することを特徴とする。
【００１１】
また、本発明による流量計においては、表示部によって表示される被測流体の積算流量値と、外部信号出力手段から外部出力された流量パルス信号が供給された外部機器で演算された被測流体の積算流量値とが、所定の対応関係を保持しているか否かで監視することを特徴とする。
【００１２】
加えて、本発明に係る流量計においては、警報信号出力手段は、外部信号出力手段から外部出力される流量信号を出力停止させることにより、警報信号を外部出力することを特徴とする。
【発明の効果】
【００１３】
本発明による流量計においては、表示部に供給される計測出力と外部信号出力手段から外部出力された流量パルス信号の外部機器への供給状態とが、又は、表示部によって表示される被測流体の積算流量値と外部信号出力手段から外部出力された流量パルス信号が供給された外部機器で演算された被測流体の積算流量値とが、所定の対応関係を保持しているか否かを比較監視して、両者の関係が所定の対応関係を逸脱したことが検出された場合には、流量計から警報信号が外部出力される。
【００１４】
これにより、流量計からの流量パルス信号を監視機器に伝達するための有線通信路又は無線通信路に対して外部からノイズ等が作用して、監視機器側に供給される流量パルス信号にパルス欠落や雑音パルスが生じた場合であっても、計器室に居ながらにしてその異常を即座に感得することができ、気づかずに当該流量計を用いた流量制御システムを使用し続けてしまうことを防止できる。
【００１５】
また、流量計の外部信号出力手段や、流量計からの流量パルス信号を監視機器に伝達するための有線通信路に異常が生じ、流量パルス信号が出力されない場合であっても、監視手段がその異常を判定して警報信号出力手段から警報信号を発信させることが可能になるので、流量計の外部信号出力手段や有線通信路の故障を計器室に居ながらにして感得することができる。
【発明を実施するための最良の形態】
【００１６】
以下、本発明による流量計の実施の形態について図面とともに説明する。
図１は、本発明に係る流量計の第１の実施の形態のシステム構成図である。
【００１７】
本実施の形態の流量計１Ａは、流量センサ１１と、流量演算計測部１２とを有して構成され、流量演算計測部１２には、演算回路１３、表示器１４、出力回路１５、個別積算値演算回路１６、リセット釦１７、及び監視回路１８Ａが設けられている。
【００１８】
流量センサ１１は、図示せぬ流路途中に配設された流量計筐体に設けられ、流量計筐体の計量室（計測流路）に設けられた流量検出子に対して設けられ、被測流体の流れの検出信号（流量検出信号）を出力する。この流量検出子及び流量検出子の具体例としては、例えば、容積式流量計においては、被測流体が計量室を通過するのに伴って通過した被測流体の容積分に応じて回転する回転子と、この回転子の回転を検出する例えば磁気センサ等からなる回転検出センサが該当し、渦流量計においては、被測流体が計量室を通過するのに伴ってカルマン渦を発生させる渦発生体と、その渦の発生を検出する例えば超音波センサ等からなる渦検出センサが該当する。なお、この流量センサ１１の具体例としては、上述した形式の流量計の流量センサに限られるものではなく、流量計筐体の計量室を通過する被測流体の流れを検出して信号を生成するものであればよい。
【００１９】
演算回路１３は、流量センサ１１から供給される流量検出信号に基づき、流路を流れる被測流体の積算流量を演算し、その演算した積算流量データを表示器１４に供給する。また、演算回路１３は、その演算した積算流量が所定量だけ歩進（カウントアップ）する毎に積算パルス出力指示を出力回路１５に供給する。
【００２０】
この演算回路１３のさらに具体的な構成について、上述した容積式流量計や渦流量計を例に説明すれば、演算回路１３は、容積式流量計の回転検出センサや渦流量計の渦検出センサから供給される回転検出パルス信号や渦検出パルス信号を計数部で計数し、その計数値を予め設定してある所定の積算単位（積算流量計測単位）に変換することにより、被測流体の積算流量を演算し、積算流量データ（積算流量表示データ）を表示器１４に出力する。また、演算回路１３は、計数部の計数値（積算流量計数値）が予め設定してある所定の積算流量パルス出力単位（積算流量計数単位）だけ歩進（カウントアップ）する毎に積算流量パルス出力指示を出力回路１５に供給する。
【００２１】
表示器１４は、本実施の形態の場合、積算値表示部１４ａと個別積算値表示部１４ｂとを有している。表示器１４は、演算回路１３から供給される積算流量データを積算値表示部１４ａに表示し、個別積算値演算回路１６から供給される後述の個別積算流量データを個別積算値表示部１４ｂに表示する。
【００２２】
出力回路１５は、演算回路１３から積算流量パルス出力指示が供給される毎に、図示せぬ監視機器に送信出力するための積算流量パルスを生成する。その上で、本実施の形態の場合は、出力回路１５は、この生成した積算流量パルスを、信号線９０を介して有線接続された監視機器に送信出力する。
【００２３】
個別積算値演算回路１６は、前述した演算回路１３と同様に、流量センサ１１から供給される流量検出信号に基づき、流路を流れる被測流体の個別積算流量（期間積算流量）を演算し、その演算した個別積算流量データを表示器１４に供給する。なお、この個別積算値演算回路１６には、リセット釦１７が設けられており、リセット釦１７の所定操作によって、個別積算値演算回路１６の個別積算流量値（流量検出信号に基づく計数部における計数値）はゼロリセット可能になっている。これにより、表示器１４の個別積算値表示部１４ｂには、この個別積算流量データに基づき、リセット釦１７が操作されてから次にリセット釦１７が操作される迄の期間に流れた被測流体の流量が表示可能になっている。
【００２４】
監視回路１８Ａは、本実施の形態では、前述した演算回路１３から表示器１４に出力供給される積算流量データが供給されるとともに、出力回路１５から有線出力されて図示せぬ監視機器に供給入力される積算流量パルスが供給されるようになっている。そのために、監視回路１８Ａは、演算回路１３における積算流量データ出力１３ｃに接続されているとともに、出力回路１５における積算パルス出力、すなわち信号線９０にも接続されている。
【００２５】
監視回路１８Ａは、演算回路１３からの積算流量データと出力回路１５における積算パルス出力とに基づき、この積算流量データによる流量値が前述した積算流量パルス出力単位だけ歩進（カウントアップ）するのに同期して、この間に出力回路１５から生成出力されるべき積算流量パルスが対応して発信されているか否か、すなわち監視機器に供給されるべき積算流量パルスが信号線９０上に出現しているか否かを比較判定する。そして、監視回路１８Ａは、この比較判定の結果、積算流量データによる流量値の積算流量パルス出力単位のカウントアップに同期して積算流量パルスが出力回路１５から発信せず、本来送信されるべき積算流量パルスが信号線９０上に出現していない場合や、本来送信されるべき積算流量パルスに対して過分の積算流量パルスが信号線９０上に出現している場合等は、異常とみなしてアラーム信号を有線又は無線の通信路を介して外部出力する。
【００２６】
ここで、このような異常について具体的に説明すれば、信号線９０への外部ノイズの付加等といった原因によって、演算回路１３からの積算流量データによる流量値が前述した積算流量パルス出力単位だけ歩進（カウントアップ）しておらず、出力回路１５は積算流量パルスを未だ生成しない状況であるにもかかわらず、出力回路１５の出力と接続された信号線９０上に積算流量パルスが出現するといった雑音パルスの発生や、信号線９０への外部ノイズの付加又は出力回路１５自身の故障等といった原因によって、演算回路１３からの積算流量データによる流量値が前述した積算流量パルス出力単位を超えて歩進（カウントアップ）し、出力回路１５は積算流量パルスを生成する状況であるにもかかわらず、出力回路１５の出力と接続された信号線９０上に積算流量パルスが出現しない、又は出現すべき積算流量パルスが不足しているといった積算流量パルスの欠落が対応する。
【００２７】
監視回路１８Ａから外部出力されたアラーム信号は、図１では図示省略した監視機器に付設された警報器によって受信され、異常が報知されるようになっている。
【００２８】
このように構成された本実施の形態の流量計１Ａによれば、流量センサ１１から供給される流量検出信号に基づき、演算回路１３及び個別積算値演算回路１６により積算流量値及び個別積算流量値が演算され、表示器１４の積算値表示部１４ａ及び個別積算値表示部１４ｂにそれぞれ表示される。また、流量計１Ａの出力回路１５からは積算流量パルス信号が計器室の監視機器に供給され、監視機器はこの積算流量パルス信号の積算流量パルスを計数演算して、監視機器に設けられたモニタ表示器にその演算結果である積算流量値を表示する。
【００２９】
これにより、ユーザは、流量計１Ａや流路部分とは離れた場所にある計器室において、被測流体の積算流量を確認することができ、流路に配設されたポンプや流量調整弁等といった流量制御機器をマニュアル又は自動で遠隔制御することによって、流路を流れる被測流体の流量を調整できる。
【００３０】
また、上述した信号線９０への外部ノイズの付加等による雑音パルスの発生や積算流量パルスの欠落によって、流量計１Ａの表示器１４における積算値表示部１４ａ又は個別積算値表示部１４ｂの表示値（実流量）と、監視機器のモニタ表示器における積算表示値（制御流量）とが一致又は対応しなくなってしまった場合は、ユーザは、監視機器に付設された警報器から報知される異常発生警報により容易に感得できる。これにより、ユーザは、現場に定期的に出向いて流量計１Ａの表示器１４の表示値（実流量）を確認したり、またこの確認の際に流路を流れる被測流体の流れやシステム自体を一旦停止せずとも、容易に実流量と制御流量との一致又は対応関係が保持されていることを確認できるとともに、実流量と制御流量との一致又は対応関係が崩れるような異常が発生した場合には、直ちにその異常を感得することができる。
【００３１】
この結果、流量制御システムにおけるユーザの作業容易化をはかり、被測流体の遠隔流量調整が一層正確に行えるようになる。
【００３２】
次に、本発明による第２の実施の形態の流量計１Ｂについて、図２に基づき説明する。
図２は、本発明に係る流量計の第２の実施の形態のシステム構成図である。
【００３３】
なお、その説明にあたって、第１の実施の形態の流量計１Ａと同一又は同様構成分については、同一符号を付し、その詳細な説明は省略する。
【００３４】
本実施の形態の流量計１Ｂにおいては、出力送信回路１９は、演算回路１３からパルス出力指示が供給される毎に、図示せぬ監視機器に送信出力するための積算流量パルスを生成し、この生成した積算流量パルスを、無線通信路９１を介して無線接続された監視機器に送信出力する。
【００３５】
さらに、流量計１Ｂには、出力送信回路１９から無線通信路９１を介して送信出力された積算流量パルス信号（積算流量パルス）を受信するための出力受信回路２１が設けられ、受信した積算流量パルスは、監視回路１８Ｂに供給されるようになっている。
【００３６】
監視回路１８Ｂには、演算回路１３から出力送信回路１９に供給される積算流量パルス出力指示が入力されるとともに、出力受信回路２１によって受信された積算流量パルスが入力される。その上で、監視回路１８Ｂは、演算回路１３からの積算流量パルス出力指示と出力受信回路２１からの積算流量パルスの入力とに基づき、この積算流量パルス出力指示に同期して、出力送信回路１９から送信出力されるべき積算流量パルスが受信されているか否か、すなわち監視機器に供給されるべき積算流量パルスが無線通信路９１上に出現しているか否かを比較判定する。そして、監視回路１８Ｂは、この比較判定の結果、積算流量パルス出力指示に同期して出力送信回路１９から送信出力されているべき積算流量パルスが受信できず、無線通信路９１上に出現していない場合等は、異常とみなしてアラーム信号を有線又は無線の通信路を介して外部出力する。
【００３７】
ここで、このような異常について具体的に説明すれば、無線通信路９１に対する外部ノイズの付加等といった原因によって、演算回路１３から積算流量パルス出力指示が出力送信回路１９に供給されておらず、出力送信回路１９からは積算流量パルスが送信出力されない状況であるにもかかわらず、積算流量パルスが無線通信路９１上に出現するといった雑音パルスの発生や、無線通信路９１に対する外部ノイズの付加又は出力送信回路１９自身の故障等といった原因によって、演算回路１３から積算流量パルス出力指示が出力送信回路１９に幾度も供給され、出力送信回路１９からはこの積算流量パルス出力指示に対応して積算流量パルスが送信出力される状況であるにもかかわらず、無線通信路９１上に積算流量パルスが出現しない、又は出現すべき積算流量パルスが不足しているといった積算流量パルスの欠落が対応する。
【００３８】
このように本実施例の流量計１Ｂによっても、前述した第１の実施例の流量計１Ａの場合と同様に、ユーザは、現場に定期的に出向いて流量計１Ｂの表示器１４の表示値（実流量）を確認したり、またこの確認の際に流路を流れる被測流体の流れやシステム自体を一旦停止せずとも、容易に実流量と制御流量との一致又は対応関係が保持されていることを確認できるとともに、実流量と制御流量との一致又は対応関係が崩れるような異常が発生した場合には、直ちにその異常を感得することができる。
【００３９】
この結果、流量制御システムにおけるユーザの作業容易化をはかり、被測流体の遠隔流量調整が一層正確に行えるようになる。
【００４０】
次に、本発明による第３の実施の形態の流量計１Ｃについて、図３に基づき説明する。
図３は、本発明に係る流量計の第３の実施の形態のシステム構成図である。
【００４１】
なお、その説明にあたって、第１，第２の実施の形態の流量計１Ａ，１Ｂいずれかで説明した構成部分と同一又は同様な構成部分については、同一符号を付し、その詳細な説明は省略する。
【００４２】
本実施例の流量計１Ｃは、流量センサ１１と、流量演算計測部１２とを有して構成され、流量演算計測部１２には、演算回路１３、表示器１４、出力回路１５、個別積算値演算回路１６、リセット釦１７、及び監視回路１８Ｃ、に加えて、時計回路２２、メモリ２３、データ通信回路２４がさらに設けられている。
【００４３】
時計回路２２は、現在時刻を計時し、現在時刻データをメモリ２３に供給する。
メモリ２３には、時計回路２２から供給される現在時刻データに基づき、所定時刻になると、個別積算値演算回路１６から最新の個別積算流量データの供給を受け、この最新の個別積算流量データにこの所定時刻の時刻データが対応づけられて記憶蓄積される。なお、ここで、上述した所定時刻には、予め設定された時刻だけではなく、予め設定された所定時間間隔が経過する毎の判別時刻をも含む。また、メモリ２３には、それぞれ複数の個別積算流量データと時刻データとが記憶可能になっている。
【００４４】
データ通信回路２４は、監視機器５０から所定のフォーマットで有線又は無線の通信路を介して送信出力される、積算値送信データやリセット送信データを受信する。データ通信回路２４は、この受信した積算値送信データを監視回路１８Ｃに供給するとともに、リセット送信データを受信した場合には、リセット信号を個別積算値演算回路１６に供給して、個別積算値演算回路１６の個別積算流量値をリセット釦１７のリセット操作によらずに零リセットできるようになっている。
【００４５】
また、データ通信回路２４は、個別積算値演算回路１６の個別積算流量値を零リセットするためのリセット釦１７が操作された場合には、そのリセット操作信号が供給され、所定のフォーマット形式で形成されたリセット送信データを、有線又は無線の通信路を介して外部出力する。
【００４６】
監視回路１８Ｃには、データ通信回路２４により受信された監視機器５０からの積算値送信データが供給されるとともに、監視回路１８Ｃは、メモリ２３に接続され、メモリ２３に蓄積されている時刻データに対応づけられた個別積算流量データを読み出し可能な構成になっている。
【００４７】
監視回路１８Ｃは、この監視機器５０からの積算値送信データと、メモリ２３に時刻データに対応づけられて蓄積されている個別積算流量データとを比較することによって、演算回路１３の積算流量データによる流量値が積算流量パルス出力単位だけ歩進（カウントアップ）するのに同期して、この間に出力回路１５から生成出力されるべき積算流量パルスが対応して発信されているか否か、すなわち監視機器５０に供給されるべき積算流量パルスが信号線９０上に出現しているか否かを比較判定する。なお、この比較判定方法については、後で詳細に説明する。
【００４８】
本実施の形態の流量計１Ｃは、上述したように構成されるが、次に、この流量計１Ｃによって生成出力された積算流量パルス信号が供給される監視機器５０の構成について、同じく図３に基づき説明する。
【００４９】
本実施の形態の場合、監視機器５０は、演算回路５１、個別積算値演算回路５２、リセット釦５３、時計回路５４、及びデータ通信回路５５を有して構成されている。
【００５０】
演算回路５１は、流量計１Ｃの積算流量パルス出力指示に基づきその出力回路１５から信号線９０を介して供給される積算流量パルス信号を受信して、その受信した積算流量パルスを計数部で計数し、被測流体の積算流量を演算する。そして、演算回路５１は、この積算流量データ（積算流量表示データ）を図示省略したモニタ表示器に供給する。なお、演算回路５１は、流量計１Ｃに備えられている演算回路１３と異なり、監視機器５０の所定操作によりその計測した積算流量値が、流量制御を行い易くするために初期設定及び零リセット可能になっている。
【００５１】
個別積算値演算回路５２は、前述した演算回路５１と同様に、積算流量パルス信号を受信して、その受信した積算流量パルスを計数部で計数し、流路を流れる被測流体の個別積算流量（期間積算流量）を演算する。なお、この個別積算値演算回路５２には、リセット釦５３が設けられており、リセット釦５３の所定操作によって、個別積算値演算回路５２の個別積算流量値（流量検出信号に基づき計数部で計数された計数値）はゼロリセット可能になっている。これにより、個別積算値演算回路５２は、リセット釦５３が操作されてから次にリセット釦５３が操作される迄の期間に流路を流れた被測流体の流量が表示可能になっている。
【００５２】
時計回路５４は、現在時刻を計時し、現在時刻データをデータ通信回路５５に供給する。
【００５３】
データ通信回路５５は、時計回路５４から供給された現在時刻データに基づき、所定時刻になると、個別積算値演算回路５２から最新の個別積算流量データの供給を受け、この最新の個別積算流量データにこの所定時刻の時刻データを付加した所定のフォーマットからなる積算値送信データを生成し、この積算値送信データを有線又は無線の通信路を介して外部出力する。なお、ここで、上述した所定時刻には、予め設定された時刻だけではなく、予め設定された所定時間間隔が経過する毎の時刻をも含む。
【００５４】
また、データ通信回路５５は、個別積算値演算回路５２の個別積算流量値を零リセットするためのリセット釦５３が操作された場合には、そのリセット操作信号が供給され、所定のフォーマット形式で形成されたリセット送信データを外部出力するようになっている。
【００５５】
また、データ通信回路５５は、外部から所定のフォーマット形式で形成されたリセット送信データを受信した場合は、リセット信号を個別積算値演算回路５２に供給して、個別積算値演算回路５２の個別積算流量値をリセット釦５３のリセット操作によらずに零リセットできるようになっている。
【００５６】
このように構成された本実施の形態の流量計１Ｃにおいては、流量計１Ｃの時計回路２２と監視機器５０の時計回路との同期が定期的に取られていることを前提に、流量計１Ｃの監視回路１８Ｃは次のようにして、監視機器５０に供給されるべき積算流量パルスが信号線９０上に出現しているか否かの比較判定を行う。
【００５７】
流量計１Ｃは、監視機器５０からの積算値送信データがデータ通信回路２４によって受信され、監視回路１８Ｃに供給される毎に、監視回路１８Ｃは、積算値送信データに含まれる時刻データを抽出し、この時刻データの時刻と一致する、又はこの時刻データの時刻に対して比較許容範囲内にある時刻に対応づけられてメモリ２３に蓄積されている個別積算流量データを検索して、該当する個別積算流量データを読み出す。
【００５８】
そして、監視回路１８Ｃは、このメモリ２３から読み出した個別積算流量データの個別積算流量値と、監視機器５０からの積算値送信データに含まれている個別積算流量値とを比較する。その上で、監視回路１８Ｃは、両者が一致、又は一致許容誤差範囲内にある場合は、今回の監視機器５０から流量計１Ｃに供給された積算値送信データに対応しての監視処理を終了し、次の監視機器５０からの積算値送信データの供給に基づく監視処理に備える。
【００５９】
これに対して、監視回路１８Ｃは、両者が一致しない、又は一致許容誤差範囲以上の積算流量の相違が生じている場合は、異常とみなしてアラーム信号を有線又は無線の通信路を介して外部出力する。
【００６０】
ここで、このような異常について具体的に説明すれば、有線通信路９０に対する外部ノイズの付加等といった原因によって、演算回路１３から積算流量パルス出力指示が出力回路１５に供給されておらず、出力回路１５からは積算流量パルスが流量計１Ｃから監視機器５０に向けて送信出力されない状況であるにもかかわらず、有線通信路９０上に発生出現した雑音パルスが監視機器５０の個別積算値演算回路５２で正規の積算流量パルスとして積算されてしまい両者の相違が生じてしまった状況や、有線通信路９０に対する外部ノイズの付加や流量計１Ｃの出力回路１５自体の故障等といった原因によって、演算回路１３から積算流量パルス出力指示が出力回路１５に幾度も供給され、出力回路１５からはこの積算流量パルス出力指示に対応して積算流量パルスが送信出力される状況であるにもかかわらず、有線通信路９０上に積算流量パルスが出現しない、又は出現すべき積算流量パルスが不足しているといった積算流量パルスの欠落により、監視機器５０の個別積算値演算回路５２で本来計数されるべき流量計１Ｃからの積算流量パルスが計数できずに両者の相違が生じてしまった状況に該当する。
【００６１】
そして、監視回路１８Ｃから外部出力されたアラーム信号は、図３では図示省略した監視機器に付設された警報器によって受信され、異常が報知されるようになっている。
【００６２】
さらに、本実施の形態の流量計１Ｃでは、外部ノイズや出力回路１５自体の故障等といった、有線通信路９０上に雑音パルスが発生したり、監視機器５０に供給されるべき積算流量パルスが出現しなくなった原因が解消した場合には、ユーザは、流量計１Ｃ又は監視機器５０に設けられている何れかのリセット釦１７（５３）をリセット操作する。これにより、流量計１Ｃ又は監視機器５０の何れかのリセット釦１７（５３）の操作によって生成されたリセット信号がリセット釦１７（５３）を操作した側の流量計１Ｃ又は監視機器５０に備えられた個別積算回路１６（５２）に供給されてその個別積算流量値が零リセットされるとともに、このリセット信号はデータ通信回路２４，５５間のリセット送信データの送受信により、リセット釦１７（５３）を操作していない相手側の流量計１Ｃ又は監視機器５０の個別積算回路５２（１６）にも供給されてその個別積算流量値が零リセットされる。これにより、有線通信路９０上に雑音パルスが発生したり、監視機器５０に供給されるべき積算流量パルスが出現しなくなった原因が解消した場合には、ユーザは一方に居ながらにして、流量計１Ｃ及び監視機器５０の個別積算回路１６，５２それぞれの個別積算流量値を一致させて、流量計１Ｃの監視回路１８Ｃによる監視処理を容易に再開させることができる。
【００６３】
このように本実施例の流量計１Ｃによっても、前述した第１，第２の実施例の流量計１Ａ，１Ｂの場合と同様に、ユーザは、現場に定期的に出向いて流量計１Ｃの表示器１４の表示値（実流量）を確認したり、またこの確認の際に流路を流れる被測流体の流れやシステム自体を一旦停止せずとも、容易に実流量と制御流量との一致又は対応関係が保持されていることを確認できるとともに、実流量と制御流量との一致又は対応関係が崩れるような異常が発生した場合には、直ちにその異常を感得することができる。
【００６４】
この結果、流量制御システムにおけるユーザの作業容易化をはかり、被測流体の遠隔流量調整が一層正確に行えるようになる。
【００６５】
以上、説明したように本発明の流量計は構成されるが、その実施の形態は、上述した第１〜第３の実施の形態に限られるものではない。
【００６６】
例えば、上述した第１〜第３の実施の形態においては、監視回路１８Ａ〜１８Ｃは、実流量と制御流量との一致又は対応関係が崩れるような異常の発生をした場合には、有線又は無線通信路を介して警報器にアラーム信号を出力し、警報器から音声或いは表示、又はこれらの組み合わせにより異常の発生をユーザに報知するように構成したが、アラーム信号を出力回路１５に供給して、出力回路１５からの積算流量パルス信号の出力を強制的に停止させて警報する構成を採用してもよい。この場合は、計器室において、ユーザは、流量計１Ａ〜１Ｃとともに流路に配設されたポンプや流量調整弁等といった流量制御機器が送液状態にあるにもかかわらず、監視機器のモニタ表示器に表示された積算流量値が送液状態に応じた変化をしないことから、実流量と制御流量との一致又は対応関係が崩れるような異常が発生したことを、直ちに感得することができる。
【００６７】
また、上述した第１〜第３の実施の形態の流量計１Ａ〜１Ｃの具体的構成も、図示した構成に限られるものではない。
【００６８】
例えば、表示器１４に設けられた個別積算値表示部１４ｂや個別演算値演算回路１６は、第１及び第２の実施の形態の流量計１Ａ，１Ｂでは必ずしも設ける必要はない。また、各実施例においては、演算回路１３及び個別積算値演算回路１６から積算流量データや個別積算流量データを表示器１４に供給して、積算流量値や個別積算流量値を表示する表示制御構成を採用したが、例えば容積式流量計の場合は、回転子の回転で機械的カウンタを機械的に駆動することも可能であるので、この表示構成とて必須のものではない。
【００６９】
又、第３の実施例の流量計１Ｃにおいても、監視機器５０の演算回路５１は、その積算流量値が初期設定可能になっているので、流量計１Ｃの監視回路１８Ｃを演算回路１３の積算流量値と監視機器５０の演算回路５１の積算流量値とを同様に比較して異常を判定するように構成することも可能である。この場合は、個別積算値演算回路１６，５２は、必ずしも設けられている必要もなく、省略可能である。
【図面の簡単な説明】
【００７０】
【図１】本発明に係る流量計の第１の実施の形態のシステム構成図である。
【図２】本発明に係る流量計の第２の実施の形態のシステム構成図である。
【図３】本発明に係る流量計の第３の実施の形態のシステム構成図である。
【符号の説明】
【００７１】
１Ａ，１Ｂ，１Ｃ  流量計
１１  流量センサ
１２  流量演算計測部
１３  演算回路
１４  表示器
１５  出力回路
１６  個別積算値演算回路
１７  リセット釦
１８Ａ，１８Ｂ，１８Ｃ  監視回路
１９  出力送信回路
２１  出力受信回路
２２  時計回路
２３  メモリ
２４  データ通信回路
５０  監視機器
５１  演算回路
５２  個別積算値演算回路
５３  リセット釦
５４  時計回路
５５  データ送信回路
【図１】
2006132974.tif 000003
【図２】
2006132974.tif 000004
【図３】
2006132974.tif 000005